(57)【要約】【課題】ドレン水の電装品ユニットへの侵入を防ぎつつ、配線を短くする。【解決手段】熱交換器ユニット１２の配管２７の前面を覆う防滴カバー１８の下端に、室内機の前面に配置されている電装品ユニット１４よりも上方に配置された電気部品である電磁弁及びアース端子に繋がったハーネス９１、９２を通す。防滴カバー１８の下端は、電装品ユニット１４の導入部４８よりも下方に位置している。防滴カバー１８の下端を通ったハーネス９１、９２は、電装品ユニット１４の導入部４８から電装品ユニット１４内に導入され、電装品ユニット１４内に収容された低電圧基板及び高電圧基板に接続される。【選択図】図８
2010121880.tif 000002
【特許請求の範囲】
【請求項１】
基板を収容した電装品ユニットが前面に配置され、前記電装品ユニットより高い位置に電気部品が配置された空気調和機であって、
前記電気部品の配線は、前記電装品ユニットの導入部よりも下方まで引き回された後で、前記電装品ユニットの前記導入部から前記電装品ユニット内に導かれて前記基板に接続されることを特徴とする空気調和機。
【請求項２】
熱交換器と、
前記熱交換器の側方に配置され、前記熱交換器に接続される配管と、
前記配管を覆う防滴カバーとを備えており、
前記防滴カバーの下端が前記電装品ユニットの前記導入部よりも下方に位置しており、
前記配線の一部は前記防滴カバーの下方を通っていることを特徴とする請求項１に記載の空気調和機。
【請求項３】
前記防滴カバーの下端には凹部が形成されており、
前記配線は前記凹部内に配置されることを特徴とする請求項２に記載の空気調和機。
【請求項４】
前記凹部の幅は、前記防滴カバーの下端から上方に向かって狭くなっていることを特徴とする請求項３に記載の空気調和機。
【発明の詳細な説明】
【技術分野】
【０００１】
本発明は、基板を収容した電装品ユニットが前面に配置された空気調和機に関するものである。
【背景技術】
【０００２】
従来、基板を収容した電装品ユニットが前面に配置されており、電装品ユニットの後方に熱交換器が配置された空気調和機が知られている（例えば、特許文献１参照）。この空気調和機では、熱交換器の側方に電装品ユニットを配置する場合に比べて、空気調和機を幅方向に関して小型化することができる。
【特許文献１】特開２００１−６５９１６号公報
【発明の開示】
【発明が解決しようとする課題】
【０００３】
ここで、上述のように前面に電装品ユニットが配置された空気調和機においては、ドレン水が配線を伝って電装品ユニットへ侵入するのを防ぐために、熱交換器の近傍であって電装品ユニットよりも高い位置に配置された電磁弁等の電気部品の配線は、一旦熱交換器の上方まで持ち上げられた後、ドレン水が付着しないように熱交換器から離れた位置で引き回され、電装品ユニット内に導かれて基板に接続されることがある。しかしながら、上述のように、電気部品の配線を熱交換器の側方まで引き回す場合には、配線の長さが長くなるという問題がある。
【０００４】
この本発明は、上記のような課題を解決するためになされたものであり、ドレン水の電装品ユニットへの侵入を防ぎつつ、配線を短くできる空気調和機を提供することを目的とする。
【課題を解決するための手段】
【０００５】
第１の発明にかかる空気調和機は、基板を収容した電装品ユニットが前面に配置され、前記電装品ユニットより高い位置に電気部品が配置された空気調和機であって、前記電気部品の配線は、前記電装品ユニットの導入部よりも下方まで引き回された後で、前記電装品ユニットの導入部から前記電装品ユニット内に導かれて前記基板に接続される。
【０００６】
この空気調和機では、導入部から電装品ユニット内に導かれる配線は、電装品ユニットの手前で導入部よりも下方に下げられるので、配線に付着したドレン水が電装品ユニットに侵入するのを防ぐことができる。また、一旦熱交換器の上方まで持ち上げた後、熱交換器から離れた位置で引き回す場合に比べて、配線を短くすることができる。
【０００７】
第２の発明にかかる空気調和機は、第１の発明にかかる空気調和機において、熱交換器と、前記熱交換器の側方に配置され、前記熱交換器に接続される配管と、前記配管を覆う防滴カバーとを備えており、前記防滴カバーの下端が前記電装品ユニットの導入部よりも下方に位置しており前記配線の一部は前記防滴カバーの下方を通っていることが好ましい。
【０００８】
この空気調和機では、配線を防滴カバーの下端で押さえるようにしつつ防滴カバーを取り付けることで、容易に配線を電装品ユニットの導入部よりも下方に引き回すことができる。
【０００９】
第３の発明にかかる空気調和機は、第２の発明にかかる空気調和機において、前記防滴カバーの下端には凹部が形成されており、前記配線は前記凹部内に配置されてもよい。
【００１０】
この空気調和機では、防滴カバーの下端で配線の位置決めができる。
【００１１】
第４の発明にかかる空気調和機は、第３の発明にかかる空気調和機において、前記凹部の幅は、前記防滴カバーの下端から上方に向かって狭くなっていてもよい。
【００１２】
この空気調和機では、防滴カバーの凹部に付着した水滴が落ち易くなる。
【発明の効果】
【００１３】
以上の説明に述べたように、本発明によれば、以下の効果が得られる。
【００１４】
第１の発明では、導入部から電装品ユニット内に導かれる配線は、電装品ユニットの手前で導入部よりも下方に下げられるので、配線に付着したドレン水が電装品ユニットに侵入するのを防ぐことができる。また、一旦熱交換器の上方まで持ち上げた後、熱交換器から離れた位置で引き回す場合に比べて、配線を短くすることができる。
【００１５】
さらに、第２の発明では、配線を防滴カバーの下端で押さえるようにしつつ防滴カバーを取り付けることで、容易に配線を電装品ユニットの導入部よりも下方に引き回すことができる。
【００１６】
また、第３の発明では、防滴カバーの下端で配線の位置決めができる。
【００１７】
加えて、第４の発明では、防滴カバーの凹部に付着した水滴が落ち易くなる。
【発明を実施するための最良の形態】
【００１８】
以下、図面に基づいて、本発明にかかる空気調和機の一実施形態について説明する。
【００１９】
〔基本構成〕
図１は、本発明の実施形態にかかる空気調和機の室内機１を前方斜め上から見た模式的斜視図である。図２は、図１に示す室内機１を前方から見た模式図である。図３は、図２に示す室内機１のIII−III線に沿う断面模式図である。図４は、図２に示す室内機１の後述する前面パネル２０、前面グリル１７、及びフィルタユニット１５を取り外した模式図である。なお、ここでは室内機１についてのみ説明するが、空気調和機はこの室内機１に室外機などが接続されることにより構成されている。
【００２０】
図１に示すように、本実施形態の室内機１は、全体として一方向に細長い形状を有しており、その長手方向が水平となるように室内の壁面に取り付けられるものである。なお、以下の説明において、室内機１の長手方向を単に「長手方向」と称する。また、室内機１が取り付けられる壁から突出する方向を「前方」とし、その反対の方向を「後方」とする。
【００２１】
この室内機１は、本体ユニット１０と、本体ユニット１０の前面に取り付けられる前面パネル２０とを有して構成される。図３及び図４に示すように、本体ユニット１０は、本体ケーシング１１と、熱交換器ユニット１２と、クロスフローファン１３と、電装品ユニット１４と、フィルタユニット１５と、清掃ユニット１６と、前面グリル１７と、加湿ダクト１９とを含んでいる。
【００２２】
熱交換器ユニット１２、クロスフローファン１３、電装品ユニット１４、フィルタユニット１５、及び加湿ダクト１９は、本体ケーシング１１に取り付けられている。前面グリル１７は、これら熱交換器ユニット１２等の構成部材を覆うように本体ケーシング１１の前面に取り付けられている。清掃ユニット１６は、フィルタユニット１５に当接した状態で保持されるように、当該前面グリル１７の前面に嵌め込まれている。
【００２３】
図１に示すように、前面グリル１７には、天井部分に天面吸込口１７ａが形成されている。当該天面吸込口１７ａは前面グリル１７の天井部分を格子状にして形成されている。また、前面グリル１７の天井部分と前面パネル２０の上端との間には、長手方向に沿って延びる細長形状の隙間である前側吸込口２０ａが形成されている。そして、これら天面吸込口１７ａ及び前側吸込口２０ａから、外部の空気が当該前面グリル１７の内部へ吸い込まれる。
【００２４】
図３に示すように、天面吸込口１７ａ及び前側吸込口２０ａに対向する位置には、フィルタユニット１５によって支持されたエアフィルタ５１が配置されている。エアフィルタ５１は、天面吸込口１７ａと対向する部分の途中まではほぼ水平になっており、そこから前方に向かって外側に湾曲しつつ下方に延びている。このエアフィルタ５１によって、天面吸込口１７ａ又は前側吸込口２０ａを通過する空気に混在する埃等が取り除かれる。
【００２５】
なお、エアフィルタ５１は、フィルタユニット１５に備えられており、且つ図３に示すエアフィルタ５１の下端部近傍に位置するピニオン５２の駆動により移動可能である。すなわち、エアフィルタ５１は、通常運転時には、図３に示す天面吸込口１７ａ及び前側吸込口２０ａに対向する位置にあるが、エアフィルタ５１を清掃する清掃運転時にはピニオン５２が駆動され、ピニオン５２の周囲を通って後方に折り返すように移動する。
【００２６】
清掃ユニット１６は、長手方向に延びるブラシ６１を備えている。そして、清掃ユニット１６は、ブラシ６１がピニオン５２の駆動により移動するエアフィルタ５１の折り返し部分に当接するように、フィルタユニット１５の下方に嵌め込まれている。したがって、清掃運転時にピニオン５２を駆動してエアフィルタ５１を移動させることによって、エアフィルタ５１に付着した埃等をブラシ６１で除去できる。
【００２７】
図３に示すように、清掃ユニット１６の下方には、電装品ユニット１４が配置されている。図４に示すように、電装品ユニット１４は、長手方向略中央部分に配置されており、電装品ユニット１４の右側方には、交流電圧１００ボルト及び２００ボルトなどの商用電源給電用の端子盤が収められており、電装品ユニット１４に電源を供給する電源ボックス９０が配置されている。また、電装品ユニット１４の左側方には、図示しない室外機で生成された加湿空気を室内機１に送り込むホースが接続される加湿ダクト１９が配置されている。
【００２８】
熱交換器ユニット１２は、図３及び図４に示すように、本体熱交換器２１と本体熱交換器２１に積層される補助熱交換器２４とを有している。補助熱交換器２４は、冷媒と空気との熱交換を助長するためのものであり、これを備えていることで熱交換器ユニット１２は、高い熱交換効率を実現できる。なお、補助熱交換器２４を本体熱交換器２１に積層するか否かは、必要とされる能力などによって機種毎に異なる。
【００２９】
図３に示すように、本体熱交換器２１は、前側部分２１ａと後側部分２１ｂとを逆Ｖ字状に配置して構成されている。そして、本体熱交換器２１の前側部分２１ａの前面に補助熱交換器２４の前側部分２４ａが取り付けられている。また、本体熱交換器２１の後側部分２１ｂの後面に補助熱交換器２４の後側部分２４ｂが取り付けられている。
【００３０】
ここで、補助熱交換器２４の前側部分２４ａの上下方向に沿う長さは、本体熱交換器２１の前側部分２１ａの上下方向に沿う長さに比べて短い。そして、補助熱交換器２４の前側部分２４ａは、本体熱交換器２１の前側部分２１ａの前面をその上端部及び下端部を残して覆うように取り付けられている。図３に示すように、本体熱交換器２１の前側部分２１ａの前面における補助熱交換器２４で覆われていない下端部に対向する位置には、電装品ユニット１４が配置されている。換言すると、補助熱交換器２４は、電装品ユニット１４よりも上方に位置している。
【００３１】
本体熱交換器２１及び補助熱交換器２４は、いずれもプレートフィン形の熱交換器である。すなわち、図４に示すように、本体熱交換器２１は、長手方向に沿って等間隔で配置されている薄板状の複数のフィン２２を有しており、補助熱交換器２４は、本体熱交換器２１と同様に、長手方向に等間隔で配置された薄板状の複数のフィン２５を有している。そして、冷媒の流路となる配管２７が、本体熱交換器２１の複数のフィン２２及び補助熱交換器２４の複数のフィン２５を長手方向に貫通している。
【００３２】
本体熱交換器２１及び補助熱交換器２４の長手方向一端（図４中右側端）に位置する配管２７には、配管２７内の冷媒の流れを制御する電磁弁２８が設けられている。図４に示すように、電磁弁２８は室内機１の上部に設けられている。すなわち、電磁弁２８は電装品ユニット１４よりも上方に設けられている。また、補助熱交換器２４の前側部分２４ａにおける長手方向一端（図４中右側端）には、アース端子９が設けられている。すなわち、アース端子９は電装品ユニット１４よりも上方に設けられている。
【００３３】
なお、熱交換器ユニット１２には、ドレン水が機外に漏れ出すのを防ぐべく、本体熱交換器２１及び補助熱交換器２４の長手方向一端（図４中右側端）に位置する配管２７の前面側を覆う防滴カバー１８が取り付けられている。
【００３４】
熱交換器ユニット１２の逆Ｖ字状の内側には、ファンモータ（図示せず）により駆動されるクロスフローファン１３が設けられている。このクロスフローファン１３は軸流ファンと呼ばれているもので、その軸方向が室内機１の長手方向に沿うように配置されている。なお、ファンモータは、クロスフローファン１３の長手方向一端（図４における右側端）に配置されている。
【００３５】
本体ケーシング１１には、図３に示すように、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｂへ空気を滑らかに導くことができる。
【００３６】
吹出口１７ｂは、長手方向に沿って形成されており、長手方向に延びる軸を中心に回動可能なフラップ１７ｃが設けられている。図示しないフラップモータによってフラップ１７ｃを回動させることで、吹出口１７ｂから吹き出される空気の風向を調整できるようになっている。なお、フラップモータは、図４に示す室内機１の左側端部近傍に配置されている。
【００３７】
さらに、本体ケーシング１１は、吹出口１７ｂの上側に位置するように上側壁面１１ｂを有する。当該上側壁面１１ｂは、前側熱交換器２１ａの下方に位置するドレンパン１１ｃと一体に成形されている。ドレンパン１１ｃと前面パネル２０との間の位置には、電装品ユニット１４が配置されている。また、後側熱交換器２１ｂの下方には、後側ドレンパン１１ｄが配置されている。
【００３８】
室内機１においては、上面の天面吸込口１７ａ及び前側吸込口２０ａからクロスフローファン１３によって吸い込まれた室内空気を熱交換器ユニット１２に通過させ冷媒との間で熱交換させることにより、当該空気の冷却又は加熱が行われる。熱交換後の当該空気は、下面の吹出口１７ｂから室内へと吹き出される。
【００３９】
〔電装品ユニットの構成〕
ここで、図５をさらに参照しつつ、電装品ユニット１４の構成についてより詳細に説明する。図５は、図４に示す電装品ユニット１４の太線で示すカバー４１を取り外した状態を示す図である。電装品ユニット１４は、全体として長手方向に長尺な形状を有しており、低電圧基板４２及び高電圧基板４３等を収納するケース４０と、前面側から低電圧基板４２及び高電圧基板４３等を覆うカバー４１とを備えている。
【００４０】
図４に示すように、カバー４１の中央近傍には、表示パネル４６を露出する開口４６ａが形成されている。なお、前面グリル１７の表示パネル４６に対向する位置にも開口が形成されている。そして、表示パネル４６の表示は、表示パネル４６が前面パネル２０で覆われた状態で、前面パネル２０を透かして、前面側から室内機１を操作する使用者に見えるようになっている。
【００４１】
また、カバー４１における開口４６ａの下方には、表示用ＬＥＤ４７を露出する複数の開口４７ａが形成されている。なお、前面グリル１７の表示用ＬＥＤ４７に対向する位置にも開口が形成されている。そして、図２に示すように、表示用ＬＥＤ４７は、前面パネル２０の下方に位置しており、前面側から室内機１を操作する使用者に見えるようになっている。
【００４２】
図５に示すように、低電圧基板４２は、電装品ユニット１４の左部に位置しており、上述の電磁弁２８、フラップモータ（図示せず）、表示パネル４６、表示用ＬＥＤ４７等の比較的低電圧で駆動する電気部品が接続されている。すなわち、低電圧基板４２には、低電圧駆動の電気部品に繋がったハーネス９１が接続されている。
【００４３】
また、高電圧基板４３は、電装品ユニット１４の右部に位置しており、比較的高電圧で駆動する電気部品であるファンモータ等が接続されている。すなわち、高電圧基板４３には、高電圧駆動の電気部品に繋がったハーネス９２が接続されている。さらに、高電圧基板４３には、電源ボックス９０の端子盤に接続された電源ライン、アース線として機能するハーネス９２等が接続されている。なお、低電圧基板４２及び高電圧基板４３は、基板対基板コネクタ４４によって接続されている。
【００４４】
なお、上述のように、低電圧基板４２が高電圧基板４３に対して電源ボックス９０とは反対側に位置している、すなわち、低電圧基板４２を電源ボックス９０から離れた位置に配置しているので、ノイズを低減することができる。
【００４５】
〔防滴カバーの構成〕
次に、図６〜図８をさらに参照しつつ、防滴カバー１８の構成についてより詳細に説明する。図６は、図４に示す防滴カバー１８を示す図であり、（ａ）は正面図、（ｂ）は斜視図である。図７は、図６に示す防滴カバー１８とハーネス９１、９２との関係を示す斜視図である。図８は、図３に示す電装品ユニット１４及びドレンパン１１ｃと図６に示す防滴カバー１８との位置関係を示す略図である。
【００４６】
図４に示すように、防滴カバー１８は、本体熱交換器２１及び補助熱交換器２４をそれぞれ構成する複数のフィン２２、２５の右側端と、室内機１の右側壁との間に位置しており、配管２７の前面を覆っている。図６に示すように、防滴カバー１８の下部は、鉛直方向に延びる略板状の下部被覆板８１となっている。下部被覆板８１の下端には、下方に開口した凹部８１ａが形成されている。図７に示すように、防滴カバー１８の凹部８１ａには、室内機１の右側端部近傍に設けられるファンモータ（図示せず）、電磁弁２８、アース端子９等の電気部品と電装品ユニット１４の低電圧基板４２又は高電圧基板４３とを繋ぐハーネス９１、９２の一部が配置される。
【００４７】
なお、凹部８１ａの幅は、防滴カバー１８の下端から上方に向かって狭くなっている。すなわち、図６（ａ）に示すように、防滴カバー１８の下端には、凹部８１ａによって略台形形状の空間が形成されている。また、図８に示すように、防滴カバー１８の下端は、ドレンパン１１ｃ内に位置している。したがって、防滴カバー１８に付着したドレン水は、防滴カバー１８の下端に形成された凹部８１ａの傾斜辺に沿って下方に滴り、ドレンパン１１ｃ内に落ちる。
【００４８】
下部被覆板８１の上方における正面視左側は、熱交換器ユニット１２に形成された図示しない係止部に係止される係止爪８２ａが形成された取付部８２が形成されている。より詳細には、係止爪８２ａは熱交換器ユニット１の配管２７に係止されるものである。また、取付部８２の右方には、下部被覆板８１の上端から前方に向かいつつ斜め上方に延びる板状部材であり、正面視で略Ｌ字形状を有する上部被覆板８３が形成されている。上部被覆板８３の前面には、電磁弁２８のハーネス９１を引っ掛ける引掛爪８３ａが形成されている、
【００４９】
図８に示すように、防滴カバー１８の下端は、電装品ユニット１４の導入部４８よりも下方に位置している。ここで、導入部４８とは、電装品ユニット１４のケース４０又はカバー４１に形成された開口等であり、ハーネス９１、９２がケース４０及びカバー４１で画定された空間の外から内に導かれる部分である。なお、図８では、導入部４８は電装品ユニット１４の背面に形成されているが、これには限定されず、例えば、電装品ユニット１４の上面に形成されていてもよい。一端が室内機１の右側端部近傍に設けられた電気部品に繋がったハーネス９１、９２は、防滴カバー１８の下方を通って、導入部４８から電装品ユニット１４内に導かれる。
【００５０】
上述のような防滴カバー１８は、電気部品のハーネス９１、９２が電装品ユニット１４の低電圧基板４２又は高電圧基板４３に接続された後、その下端でハーネス９１、９２を押さえ付けるようにしながら、熱交換器ユニット１２に取り付けられる。これにより、電装品ユニット１４の導入部４８よりも上方に位置する電磁弁２８及びアース端子９のハーネス９１、９２には、該ハーネス９１、９２を伝ってドレン水が電装品ユニット１４内に侵入するのを防ぐべく、電装品ユニット１４の導入部４８よりも下方に引き回されるトラップ構造が形成される。
【００５１】
以上のように、本実施形態の室内機１は、低電圧基板４２及び高電圧基板４３が収容された電装品ユニット１４が前面に配置されており、電磁弁２８及びアース端子９が電装品ユニット１４よりも上方に配置されている。そして、これら電磁弁２８及びアース端子９のハーネス９１、９２は、電装品ユニット１４の導入部４８よりも下方まで引き回された後で、電装品ユニット１４の導入部４８から電装品ユニット１４内に導かれて低電圧基板４２及び高電圧基板４３に接続されている。したがって、導入部４８から電装品ユニット１４内に導かれるハーネス９１、９２は、電装品ユニット１４の手前で導入部４８よりも下方に下げられるので、ハーネス９１、９２に付着したドレン水が電装品ユニット１４に侵入するのを防ぐことができる。また、一旦熱交換器ユニット１２の上方まで持ち上げた後、熱交換器ユニット１２から離れた位置で引き回す場合に比べて、ハーネス９１、９２を短くすることができる。
【００５２】
また、本実施形態の室内機１は、熱交換器ユニット１２の配管２７の前面を覆う防滴カバー１８を備えている。防滴カバー１８の下端は電装品ユニット１４の導入部４８よりも下方に位置しており、ハーネス９１、９２の一部は防滴カバー１８の下方を通っている。したがって、ハーネス９１、９２を防滴カバー１８の下端で押さえるようにしつつ防滴カバー１８を取り付けることで、容易にハーネス９１、９２を電装品ユニット１４の導入部４８よりも下方に引き回すことができる。
【００５３】
加えて、本実施形態の室内機１では、防滴カバー１８の下端に凹部８１ａが形成されており、ハーネス９１、９２が凹部８１ａ内に配置されている。したがって、防滴カバー１８の下端でハーネス９１、９２の位置決めができる。
【００５４】
また、本実施実施形態の室内機１では、防滴カバー１８の下端に形成された凹部８１ａの幅は、防滴カバー１８の下端から上方に向かって狭くなっている。したがって、防滴カバー１８に付着したドレン水が凹部８１ａの傾斜辺に沿って滴り易い。また、凹部８１ａ内に配置されたハーネス９１、９２を凹部８１ａの中心に集めることができる。
【００５５】
以上、本発明の一実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５６】
例えば、上述の実施形態では、防滴カバー１８における電装品ユニット１４の導入部４８よりも下方に位置する下端の下方にハーネス９１、９２を通す場合について説明したが、これには限定されない。すなわち、防滴カバー１８と別に、下端が電装品ユニット１４の導入部４８よりも下方に位置する部材を設け、その部材の下方にハーネス９１、９２を通すようにしてもよい。
【００５７】
加えて、上述の実施形態では、防滴カバー１８の下端に防滴カバー１８の下端から上方に向かって幅が狭くなる凹部８１ａが形成されている場合について説明したが、これには限定されない。すなわち例えば、凹部８１ａは均一幅であってもよい。また、凹部８１ａは形成されていなくてもよい。
【００５８】
さらに、上述の実施形態では、防滴カバー１８の下端の下方を通るハーネス９１、９２が、ファンモータ、電磁弁２８、及びアース端子９に繋がるものである場合について説明したが、これには限定されない。防滴カバー１８が配置される室内機１の端部（図４、５における右側端部）近傍であって、電装品ユニット１４よりも上方に配置される各種モータやセンサ等の電気部品のハーネスは、防滴カバー１８の下端の下方を通って電装品ユニット１４内に導かれることが好ましい。
【産業上の利用可能性】
【００５９】
本発明を利用すれば、ドレン水の電装品ユニットへの侵入を防ぎつつ、配線を短くできる。
【図面の簡単な説明】
【００６０】
【図１】本発明の実施形態にかかる空気調和機の室内機を前方斜め上から見た模式的斜視図である。
【図２】図１に示す室内機を前方から見た模式図である。
【図３】図２に示す室内機のIII−III線に沿う断面模式図である。
【図４】図２に示す室内機の前面パネル、前面グリル、及びフィルタユニットを取り外した模式図である。
【図５】図４に示す室内機の電装品ユニットのカバーを取り外した状態を示す図である。
【図６】図４に示す防滴カバーを示す図である。
【図７】図６に示す防滴カバーとハーネスとの関係を示す図である。
【図８】図３に示す電装品ユニット及びドレンパンと図６に示す防滴カバーとの位置関係を示す略図である。
【符号の説明】
【００６１】
１  室内機（空気調和機）
９  アース端子（電気部品）
１２  熱交換器ユニット
１４  電装品ユニット
１８  防滴カバー
２７  配管
２８  電磁弁（電気部品）
４２  低電圧基板
４３  高電圧基板
８１ａ  凹部
９１、９２  ハーネス（配線）
【図１】
2010121880.tif 000003
【図２】
2010121880.tif 000004
【図３】
2010121880.tif 000005
【図４】
2010121880.tif 000006
【図５】
2010121880.tif 000007
【図６】
2010121880.tif 000008
【図７】
2010121880.tif 000009
【図８】
2010121880.tif 000010